(57)【要約】【課題】外観上美しく、かつゴルフボールを置いた際に、上方および側方から確認でき、ゴルファの打撃の際に、打球方向の目安とするマークの視認性が良いゴルフボールを提供する。【解決手段】本発明のゴルフボールは、表面の大円上に同じ形状のマークが９０°間隔で少なくとも２個設けられているものである。マークは、直径が７ｍｍの円よりも大きく、最も短い部分の長さが１０ｍｍ以下であることが好ましい。さらに、マークは識別番号が標記されていることが好ましい。【選択図】図１
2007190177.tif 000002
【特許請求の範囲】
【請求項１】
表面の大円上に同じ形状のマークが９０°間隔で少なくとも２個設けられていることを特徴とするゴルフボール。
【請求項２】
前記マークは、直径が７ｍｍの円よりも大きい請求項１に記載のゴルフボール。
【請求項３】
前記マークは、最も短い部分の長さが１０ｍｍ以下である請求項１または２に記載のゴルフボール。
【請求項４】
前記マークは、識別番号が標記されている請求項１〜３のいずれか１項に記載のゴルフボール。
【発明の詳細な説明】
【技術分野】
【０００１】
本発明は、ゴルファが打撃の際に打球方向の目安にするマークが設けられたゴルフボールに関し、特に、ゴルフボールを置いた際に、上方および側方から確認でき、ゴルファが打撃の際に、打球方向の目安とすることができるマークが設けられたゴルフボールに関する。
【背景技術】
【０００２】
ゴルフにおいて、ティーショットおよびパッティングの際には、ゴルファが打球方向に対してゴルフボールの位置を合わせることができる。このとき、図８に示すように、地面Ｐに対して、ゴルフボール１００の位置が適正であるか否かを、ゴルファ（図示せず）が上方（方向α）または側方（方向β）から見て確認している。この場合、ゴルフボールに目印があれば、より正確に打球方向を合わせることができる。
このため、ゴルフボールには、ティーショットおよびパッティングの際に、打球方向を合わせること、およびゴルファのアドレス方向を合わせることを目的とした線状のマークが設けられたものがある（特許文献１参照）。
【０００３】
特許文献１には、パッティングの改善のために、ゴルフボールの動的軸線に沿ってパッティング方向指標（ＰＤＩ）が設けられたゴルフボールが開示されている。
この特許文献１においては、ゴルフボールの動的軸線に沿って設けられたパッティング方向指標として、文字、単語、短文、シンボル、名、イニシャル、番号、画像（イメージ）、写真もしくは他の種類のマークを組み入れることが例示されている。
また、特許文献１においては、パッティング方向指標として、ユーザーの名前もしくはユーザーの家族の画像といったデザインもパッティング方向指標として例示されている。
【０００４】
この特許文献１以外にも、打球方向を合わせるための目印が設けられたゴルフボールが図９〜図１１に示すように種々提案されている。
図９（ａ）は、従来の第１のゴルフボールを示す第１の側面図であり、（ｂ）は、従来の第１のゴルフボールを示す平面図であり、（ｃ）は、従来の第１のゴルフボールを示す第２の側面図であり、（ｄ）は、従来の第１のゴルフボールを示す第３の側面図である。
【０００５】
図９（ｂ）に示すように、従来の第１のゴルフボール１１０は、マーク１１２が、その大円Ｃ上に形成されている。このマーク１１２は、大円Ｃに沿って延びた直線部１１４と、この直線部１１４の一方の端部に設けられた円部１１６とからなるものである。また、ゴルフボール１１０には、図９（ｄ）に示すように、ロゴ１１８が設けられている。このロゴ１１８は、識別番号を示す数字１１８ａと、ブランド名を表わすマーク１１８ｂとからなるものである。なお、このロゴ１１８は、マーク１１２の直線部１１４の延びる方向と直交する方向の両側の側面に形成されている。
【０００６】
従来の第１のゴルフボール１１０においては、例えば、マーク１１２の円部１１６を前側にして、打球方向に円部１１６を向ける。そして、直線部１１４に対して、フェース面を合せ、その後、ゴルファがマーク１１２を目安にして打球方向に応じたストロークを行うために足の位置を決めて、アドレスをして打球する。
【０００７】
また、図１０（ａ）〜（ｃ）に示すような従来の第２のゴルフボール１２０も提案されている。
ここで、図１０（ａ）は、従来の第２のゴルフボールを示す第１の側面図であり、（ｂ）は、従来の第２のゴルフボールを示す平面図であり、（ｃ）は、従来の第２のゴルフボールを示す第２の側面図である。
なお、従来の第２のゴルフボール１２０も詳細な図示は省略しているが、図９（ｄ）に示すロゴ１１８が設けられている。
【０００８】
図１０（ｂ）に示すように、従来の第２のゴルフボール１２０は、マーク１２２が、その大円Ｃ上に形成されている。このマーク１２２は、大円Ｃに沿って延びた直線部１２４と、この直線部１２４の一方の端部に設けられたＶ字部１２６とからなるものである。
この従来の第２のゴルフボール１２０においては、例えば、マーク１２２のＶ字部１２６を前側にして、打球方向にＶ字部１２６を向ける。そして、直線部１２４に対して、フェース面を合せ、その後、ゴルファがマーク１１２を目安にして打球方向に応じたストロークを行うために足の位置を決めて、アドレスをして打球する。
【０００９】
さらに、図１１（ａ）〜（ｃ）に示すような従来の第３のゴルフボール１３０も提案されている。
ここで、図１１（ａ）は、従来の第３のゴルフボールを示す第１の側面図であり、（ｂ）は、従来の第３のゴルフボールを示す平面図であり、（ｃ）は、従来の第３のゴルフボールを示す第２の側面図である。
なお、従来の第３のゴルフボール１３０も詳細な図示は省略しているが、図９（ｄ）に示すロゴ１１８が設けられている。
【００１０】
図１１（ｂ）に示すように、従来の第３のゴルフボール１３０は、マーク１３２が、その大円Ｃ上に形成されている。このマーク１３２は、大円Ｃに沿って延びた第１の直線部１３４と、この第１の直線部１３４の一方の端部に設けられた、第１の直線部１３４と直交する方向に延びた第２の直線部１３６とからなるものである。
この従来の第３のゴルフボール１３０においては、例えば、マーク１３２の第２の直線部１３６を前側にして、打球方向に第２の直線部１３６を向ける。そして、第１の直線部１３４に対して、フェース面を合せ、その後、ゴルファがマーク１１２を目安にして打球方向に応じたストロークを行うために足の位置を決めて、アドレスをして打球する。
【００１１】
【特許文献１】特表２００５−５１７４６４号公報
【発明の開示】
【発明が解決しようとする課題】
【００１２】
しかしながら、特許文献１に開示されたゴルフボールにおいては、動的軸線に沿ってパッティング方向指標が設けられているものの、パッティング方向指標は側方（図８に示す方向β）からの視認性が悪いという問題点がある。このため、ゴルフボールを打球方向に設置する場合、ゴルファが望む打球方向に正しく設置されているかを側方から確認することが困難であるという問題点がある。
【００１３】
また、従来の第１のゴルフボール１１０においては、マーク１１２は直線部１１４を有するものであり、側方（図８に示す方向β）から見た場合、マーク１１２の円部１１６が見える程度で、側方（図８に示す方向β）からの視認性が悪いという問題点がある。このため、ゴルフボールを打球方向に設置する場合、ゴルファが望む打球方向に正しく設置されているかを側方（図８に示す方向β）から確認することが困難であるという問題点がある。
さらに、従来の第１のゴルフボール１１０においては、図９（ａ）および図９（ｃ）に示すように、他の側面については、マーク１１２の一部が見える程度であり、外観上あまり美しいものではない。
【００１４】
また、従来の第２のゴルフボール１２０においても、マーク１２２は直線部１２４を有するものであり、側方（図８に示す方向β）から見た場合、マーク１２２のＶ字部１２６が見える程度で、側方（図８に示す方向β）からの視認性が悪いという問題点がある。このため、ゴルフボールを打球方向に設置する場合、ゴルファが望む打球方向に正しく設置されているかを側方（図８に示す方向β）から確認することが困難であるという問題点がある。
さらに、従来の第２のゴルフボール１２０においても、図１０（ａ）および図１０（ｃ）に示すように、他の側面については、マーク１２２の一部が見える程度であり、外観上あまり美しいものではない。
【００１５】
また、従来の第３のゴルフボール１３０においても、マーク１３２は第１の直線部１２４を有するものであり、側方（図８に示す方向β）から見た場合、マーク１３２の第２の直線部１３６が見える程度で、側方（図８に示す方向β）からの視認性が悪いという問題点がある。このため、ゴルフボールを打球方向に設置する場合、ゴルファが望む打球方向に正しく設置されているかを側方（図８に示す方向β）から確認することが困難であるという問題点がある。
さらに、従来の第３のゴルフボール１３０においても、図１１（ａ）および図１１（ｃ）に示すように、他の側面については、マーク１３２の一部が見える程度であり、外観上あまり美しいものではない。
【００１６】
また、目印がないゴルフボールに、ゴルファがプレー開始の前にペンなどを用いて上方および側方から視認可能な目印を設けた場合にも、複数回のゴルフクラブの打撃により、プレー中に目印が消えてしまうという問題点もある。また、ゴルファ自身が設ける目印は、必ずしも外観が良いものではない。
【００１７】
本発明の目的は、前記従来技術の問題点を解決することにあり、外観上美しく、かつゴルフボールを置いた際に、上方および側方から確認でき、ゴルファの打撃の際に、打球方向の目安とするマークの視認性が良いゴルフボールを提供することにある。
【課題を解決するための手段】
【００１８】
上記目的を達成するために、本発明は、表面の大円上に同じ形状のマークが９０°間隔で少なくとも２個設けられていることを特徴とするゴルフボールを提供するものである。
【００１９】
本発明において、前記マークは、直径が７ｍｍの円よりも大きいことが好ましい。
また、本発明において、前記マークは、最も短い部分の長さが１０ｍｍ以下であることが好ましい。
さらに、本発明において、前記マークは、識別番号が標記されていることが好ましい。
さらにまた、本発明において、前記マークは、表面の大円上に９０°間隔で３個設けられていることが好ましく、９０°間隔で４個設けられていることがより好ましい。
【発明の効果】
【００２０】
本発明のゴルフボールによれば、その表面における大円上に同じ形状のマークを９０°間隔で少なくとも２個設けることにより、打球方向の目安とするマークの視認性を向上させることができる。このため、例えば、１つのマークを前側にして、打球方向に向けると、残りのマークは上方から見える位置となる。これらのマークに対して、フェース面を合せ、その後、ゴルファがマークを目安にして打球方向に応じたストロークを行うために足の位置を決めて、アドレスをして打球することができる。このように、所定の打球方向に向けて打つ姿勢を容易にとり、打球することができる。これにより、打球方向性の位置決めが容易に行え、打球方向性を高めることができ、スコアの向上を図ることができる。
さらには、本発明のゴルフボールによれば、少なくとも２個マークを設けることにより、意匠性も向上させ、外観上美しくすることができる。
【００２１】
また、本発明のゴルフボールによれば、表面の大円上にマークを９０°間隔で３個設けることにより、打球方向性の位置決めが更に容易に行え、打球方向性を更に高めることができる。さらに、表面の大円上にマークを９０°間隔で４個設けることにより、打球方向性の位置決めが更に一層容易に行え、打球方向性を更に一層高めることができる。
【発明を実施するための最良の形態】
【００２２】
以下に、添付の図面に示す好適実施例に基づいて、本発明のゴルフボールを詳細に説明する。
図１（ａ）は、本発明の第１の実施例に係るゴルフボールを示す平面図であり、（ｂ）は、図１（ａ）の側面図であり、（ｃ）は、図１（ａ）の状態から９０°回転させた状態を示す平面図であり、（ｄ）は、図１（ｃ）の側面図である。また、図１（ａ）および（ｃ）においては、地面Ｐの図示は省略している。
本実施例のゴルフボール１０は、例えば、コア（図示せず）と、このコアの表面に形成されたカバー（図示せず）とを有し、カバーの表面にディンプル（図示せず）が形成されているものである。
【００２３】
図１（ａ）に示すように、ゴルフボール１０は、大円Ｃ上に、マーク２０ａ、２０ｂが、大円Ｃの中心Ｇに対して９０°間隔で２個形成されている。
これらのマーク２０ａ、２０ｂは、いずれも形状および大きさが同じであり、円形状である。また、マーク２０ａ、２０ｂは、その直径Ｄが７ｍｍよりも大きいことが好ましい。また、マーク２０ａ、２０ｂの直径Ｄの上限は、特に限定されるものではない。この直径Ｄの上限は、２５ｍｍ以下が好ましく、更に好ましくは、２０ｍｍ以下である。
なお、本発明においては、マーク２０ａ、２０ｂの直径Ｄを７ｍｍよりも大きくすることにより、マーク２０ａ、２０ｂの識別性が向上する。このため、マーク２０ａ、２０ｂの直径Ｄは７ｍｍよりも大きいことが好ましい。
【００２４】
本実施例においては、ゴルフボール１０の大円Ｃ上に、２個、マーク２０ａ、２０ｂを９０°間隔で設けることにより、ゴルフボール１０を打球方向の合せに用いる場合、図１（ａ）および（ｂ）に示すように、上方および側方から容易に視認することができる。また、マーク２０ａ、２０ｂを２個設けることにより、意匠性も向上させ、外観上美しくすることができる。
【００２５】
また、本実施例のゴルフボール１０においては、例えば、図１（ａ）に示すように、マーク２０ｂを打球方向に向ける。そして、マーク２０ａ、およびマーク２０ｂを通る仮想線に対して、フェース面を合わせる。その後、ゴルファが２個のマーク２０ａ、２０ｂを目安にして、打球方向に応じたストロークを行うために足の位置を決めて、アドレスをして打球することができる。これにより、打球方向性を高めることができ、スコアの向上を図ることができる。
【００２６】
また、図１（ａ）に示す状態からゴルフボール１０を９０°回転させて図１（ｃ）に示すように、マーク２０ｂが最上部となる状態にした場合にも、マーク２０ａ、２０ｂを上方および側方から確認することができる。この場合においても、２個のマーク２０ａ、２０ｂを通る仮想線を打球方向に合わせて、これらの２個のマーク２０ａ、２０ｂを目安にしてフェース面を合せ、ストロークを行うために足の位置を決めて、アドレスをして打球することができる。
【００２７】
このように、本発明においては、大円Ｃ上に、２個のマーク２０ａ、２０ｂを大円Ｃの中心Ｇに対して９０°間隔で設けることにより、上方および側方からマーク２０ａ、２０ｂを確認することができるとともに、２個のマーク２０ａ、２０ｂを通る仮想線を打球方向に合せ、この仮想線に対してフェース面を合せ、その後、ゴルファが２個のマーク２０ａ、２０ｂを目安にして、打球方向に応じたストロークを行うために足の位置を決めて、アドレスをして打球することができる。これにより、打球方向性を高めることができ、スコアの向上を図ることができる。
【００２８】
次に、本発明の第２の実施例について説明する。
図２（ａ）は、本発明の第２の実施例に係るゴルフボールを示す平面図であり、（ｂ）は、図２（ａ）の側面図であり、（ｃ）は、図２（ａ）の状態から９０°回転させた状態を示す平面図であり、（ｄ）は、図２（ｃ）の側面図である。
なお、図１（ａ）〜（ｄ）に示す第１の実施例のゴルフボール１０と同一構成物には、同一符号を付してその詳細な説明は省略する。また、図２（ａ）および（ｃ）においては、地面Ｐの図示は省略している。
【００２９】
本実施例のゴルフボール１２は、第１の実施例のゴルフボール１０（図１（ａ）および（ｂ）参照）に比して、マーク２０ａ、２０ｂ、２０ｃの数が３個である点が異なり、それ以外の構成は、第１の実施例のゴルフボール１０と同様の構成であり、その詳細な説明は省略する。
本実施例のゴルフボール１２においても、３個のマーク２０ａ、２０ｂ、２０ｃは、大円Ｃ上に形成されており、各マーク２０ａ、２０ｂ、２０ｃの配置間隔は、大円Ｃの中心Ｇに対して９０°間隔である。また、各マーク２０ａ、２０ｂ、２０ｃは、全て同じ円形状であり、大きさも同じである。これらの各マーク２０ａ、２０ｂ、２０ｃは、それぞれ直径Ｄが７ｍｍよりも大きいことが好ましい。また、各マーク２０ａ、２０ｂ、２０ｃの直径Ｄの上限は、特に限定されるものではない。この直径Ｄの上限は、２５ｍｍ以下が好ましく、更に好ましくは、２０ｍｍ以下である。
なお、本発明においては、各マーク２０ａ、２０ｂ、２０ｃの直径Ｄを７ｍｍよりも大きくすることにより、各マーク２０ａ、２０ｂ、２０ｃの識別性が向上する。このため、各マーク２０ａ、２０ｂ、２０ｃの直径Ｄは７ｍｍよりも大きいことが好ましい。
【００３０】
また、本実施例のゴルフボール１２においても、ゴルフボール１２の大円Ｃ上に、３個、マーク２０ａ、２０ｂ、２０ｃを９０°間隔で設けることにより、ゴルフボール１２を打球方向の合せに用いる場合、図２（ａ）および（ｂ）に示すように、上方および側方から容易に視認することができる。また、マーク２０ａ、２０ｂ、２０ｃを３個設けることにより、意匠性も向上させ、外観上美しくすることができる。
【００３１】
本実施例のゴルフボール１２においても、第１の実施例のゴルフボール１０と同様に、例えば、マーク２０ｂを打球方向に向ける。そして、マーク２０ｂ、マーク２０ａ、およびマーク２０ｃを通る仮想線に対して、フェース面を合わせる。その後、ゴルファが３個のマーク２０ｂ、マーク２０ａ、およびマーク２０ｃを目安にして、打球方向に応じたストロークを行うために足の位置を決めて、アドレスをして打球することができる。これにより、打球方向性を高めることができ、スコアの向上を図ることができる。
【００３２】
また、図２（ａ）に示す状態からゴルフボール１２を９０°回転させて図２（ｃ）に示すように、マーク２０ｂが最上部となる状態にした場合にも、マーク２０ａ、２０ｂを上方および側方から確認することができる。この場合においても、２個のマーク２０ａ、２０ｂを目安にして、ゴルファの足の位置を決めて、アドレスをして打球することができる。
【００３３】
このように、本実施例のゴルフボール１２においても、３個のマーク２０ａ、２０ｂ、２０ｃを上方および側方から視認することができるとともに、３個のマーク２０ａ、２０ｂ、２０ｃを目安にして、ゴルファの足の位置を決めて、アドレスをして打球することができる。これにより、打球方向性を高めることができ、スコアの向上を図ることができる。
【００３４】
次に、本発明の第３の実施例について説明する。
図３（ａ）は、本発明の第３の実施例に係るゴルフボールを示す平面図であり、（ｂ）は、図３（ａ）の側面図であり、（ｃ）は、図３（ａ）の状態から９０°回転させた状態を示す平面図であり、（ｄ）は、図３（ｃ）の側面図であり、（ｅ）は、図３（ｃ）の状態から９０°回転させた状態を示す平面図であり、（ｆ）は、図３（ｅ）の側面図である。
なお、図１（ａ）〜（ｄ）に示す第１の実施例のゴルフボール１０と同一構成物には、同一符号を付してその詳細な説明は省略する。また、図３（ａ）、（ｃ）および（ｅ）においては、地面Ｐの図示は省略している。
【００３５】
本実施例のゴルフボール１４は、第１の実施例のゴルフボール１０（図１（ａ）および（ｂ）参照）に比して、マーク２０ａ、２０ｂ、２０ｃ、２０ｄの数が４個である点が異なり、それ以外の構成は、第１の実施例のゴルフボール１０と同様の構成であり、その詳細な説明は省略する。
【００３６】
本実施例のゴルフボール１４においても、４個のマーク２０ａ、２０ｂ、２０ｃ、２０ｄは、大円Ｃ上に形成されており、各マーク２０ａ、２０ｂ、２０ｃ、２０ｄの配置間隔は、大円Ｃの中心Ｇに対して等間隔（９０°間隔）である。また、各マーク２０ａ、２０ｂ、２０ｃ、２０ｄは、全て同じ円形状であり、大きさも同じである。これらの各マーク２０ａ、２０ｂ、２０ｃ、２０ｄは、それぞれ直径Ｄが７ｍｍよりも大きいことが好ましい。また、各マーク２０ａ、２０ｂ、２０ｃ、２０ｄの直径Ｄの上限は、特に限定されるものではない。この直径Ｄの上限は、２５ｍｍ以下が好ましく、更に好ましくは、２０ｍｍ以下である。
なお、本発明においては、各マーク２０ａ、２０ｂ、２０ｃ、２０ｄの直径Ｄを７ｍｍよりも大きくすることにより、各マーク２０ａ、２０ｂ、２０ｃ、２０ｄの識別性が向上する。このため、各マーク２０ａ、２０ｂ、２０ｃ、２０ｄの直径Ｄは７ｍｍよりも大きいことが好ましい。
【００３７】
また、本実施例のゴルフボール１４においても、ゴルフボール１４の大円Ｃ上に、４個、マーク２０ａ、２０ｂ、２０ｃ、２０ｄを９０°間隔で設けることにより、ゴルフボール１４を打球方向の合せに用いる場合、図３（ａ）および（ｂ）に示すように、上方および側方から容易に視認することができる。また、マーク２０ａ、２０ｂ、２０ｃ、２０ｄを４個設けることにより、意匠性も向上させ、外観上美しくすることができる。
【００３８】
本実施例のゴルフボール１４においても、第１の実施例のゴルフボール１０と同様に、例えば、マーク２０ｂを打球方向に向ける。そして、マーク２０ｂ、マーク２０ａ、およびマーク２０ｃを通る仮想線に対して、フェース面を合わせる。その後、ゴルファが３個のマーク２０ｂ、マーク２０ａ、およびマーク２０ｃを目安にして、打球方向に応じたストロークを行うために足の位置を決めて、アドレスをして打球することができる。これにより、打球方向性を高めることができ、スコアの向上を図ることができる。
【００３９】
また、図３（ａ）に示す状態からゴルフボール１４を９０°回転させて図３（ｃ）に示すように、マーク２０ｂが最上部となる状態にした場合にも、マーク２０ａ、２０ｂ、２０ｄを上方および側方から確認することができる。この場合においても、３個のマーク２０ａ、２０ｂ、２０ｄを目安にして、ゴルファの足の位置を決めて、アドレスをして打球することができる。
【００４０】
さらに、図３（ｃ）に示す状態からゴルフボール１４を９０°回転させて図３（ｅ）に示すように、マーク２０ｄが最上部となる状態にした場合にも、マーク２０ｂ、２０ｃ、２０ｄを上方および側方から確認することができる。この場合においても、３個のマーク２０ｂ、２０ｃ、２０ｄを目安にして、ゴルファの足の位置を決めて、アドレスをして打球することができる。
【００４１】
このように、本実施例のゴルフボール１４においても、４個のマーク２０ａ、２０ｂ、２０ｃ、２０ｄのうち、３個のマークを上方および側方から視認することができるとともに、３個のマークを目安にして、ゴルファの足の位置を決めて、アドレスをして打球することができる。これにより、打球方向性を高めることができ、スコアの向上を図ることができる。
【００４２】
また、本実施例のゴルフボール１４においては、９０°間隔で４個マークが設けられているため、４個のマーク２０ａ、２０ｂ、２０ｃ、２０ｄのうち、いずれか１個のマークを打球方向に向ければ、打球方向の合せができる。マークが２個および３個の場合には、マークを探して打球方向を合わせる必要があるが、このような必要がない。
【００４３】
次に、本発明の第４の実施例について説明する。
図４（ａ）は、本発明の第４の実施例に係るゴルフボールを示す平面図であり、（ｂ）は、図４（ａ）の側面図であり、（ｃ）は、図４（ａ）の状態から９０°回転させた状態を示す平面図であり、（ｄ）は、図４（ｃ）の側面図であり、（ｅ）は、図４（ｃ）の状態から９０°回転させた状態を示す平面図であり、（ｆ）は、図４（ｅ）の側面図である。
なお、図１（ａ）〜（ｄ）に示す第１の実施例のゴルフボール１０と同一構成物には、同一符号を付してその詳細な説明は省略する。また、図４（ａ）、（ｃ）および（ｅ）においては、地面Ｐの図示は省略している。
【００４４】
本実施例のゴルフボール１６は、第１の実施例のゴルフボール１０（図１（ａ）および（ｂ）参照）に比して、マーク２０ａ、２０ｂ、２０ｃ、２０ｄの数が４個であり、さらに大円Ｃに直交し、マーク２０ｂおよびマーク２０ｃを通る第２の大円Ｓ上に、マーク２０ｂおよびマーク２０ｃに対して等間隔でサイドマーク２２ａ、２２ｂが形成されている点が異なり、それ以外の構成は、第１の実施例のゴルフボール１０と同様の構成であり、その詳細な説明は省略する。
【００４５】
本実施例のゴルフボール１６においても、４個のマーク２０ａ、２０ｂ、２０ｃ、２０ｄは、大円Ｃ上に形成されており、各マーク２０ａ、２０ｂ、２０ｃ、２０ｄの配置間隔は、大円Ｃの中心Ｇに対して等間隔（９０°間隔）である。また、各マーク２０ａ、２０ｂ、２０ｃ、２０ｄは、全て同じ円形状であり、大きさも同じである。これらの各マーク２０ａ、２０ｂ、２０ｃ、２０ｄは、その直径Ｄが７ｍｍよりも大きいことが好ましい。また、各マーク２０ａ、２０ｂ、２０ｃ、２０ｄの直径Ｄの上限は、特に限定されるものではない。この直径Ｄの上限は、２５ｍｍ以下が好ましく、更に好ましくは、２０ｍｍ以下である。
なお、本発明においては、各マーク２０ａ、２０ｂ、２０ｃ、２０ｄの直径Ｄを７ｍｍよりも大きくすることにより、各マーク２０ａ、２０ｂ、２０ｃ、２０ｄの識別性が向上する。このため、各マーク２０ａ、２０ｂ、２０ｃ、２０ｄの直径Ｄは７ｍｍよりも大きいことが好ましい。
【００４６】
また、本実施例のゴルフボール１６においても、ゴルフボール１６の大円Ｃ上に、４個、マーク２０ａ、２０ｂ、２０ｃ、２０ｄを９０°間隔で設けることにより、ゴルフボール１６を打球方向の合せに用いる場合、図４（ａ）および（ｂ）に示すように、上方および側方から容易に視認することができる。さらに、側方から見た場合、サイドマーク２２ａ、２２ｂにより、打球方向に合わせてゴルフボール１８がより正確に置かれているかを判断することができる。
本実施例においては、マーク２０ａ、２０ｂ、２０ｃ、２０ｄを４個設け、さらにサイドマーク２２ａ、２２ｂを２個設けることにより、意匠性も向上させ、外観上美しくすることができる。
【００４７】
本実施例のゴルフボール１６においても、第１の実施例のゴルフボール１０と同様に、例えば、マーク２０ｂを打球方向に向ける。そして、マーク２０ｂ、マーク２０ａ、およびマーク２０ｃを通る仮想線に対して、フェース面を合わせる。その後、ゴルファが３個のマーク２０ｂ、マーク２０ａ、およびマーク２０ｃを目安にして、打球方向に応じたストロークを行うために足の位置を決めて、アドレスをして打球することができる。これにより、打球方向性を高めることができ、スコアの向上を図ることができる。
【００４８】
また、図４（ａ）に示す状態からゴルフボール１４を９０°回転させて図４（ｃ）に示すように、マーク２０ｂが最上部となる状態にした場合にも、マーク２０ａ、２０ｂ、２０ｄを上方および側方から確認することができる。この場合においても、３個のマーク２０ａ、２０ｂ、２０ｄを目安にして、ゴルファの足の位置を決めて、アドレスをして打球することができる。
【００４９】
さらに、図４（ｃ）に示す状態からゴルフボール１４を９０°回転させて図４（ｅ）に示すように、マーク２０ｄが最上部となる状態にした場合にも、マーク２０ｂ、２０ｃ、２０ｄを上方および側方から確認することができる。この場合においても、３個のマーク２０ｂ、２０ｃ、２０ｄを目安にして、ゴルファの足の位置を決めて、アドレスをして打球することができる。
【００５０】
このように、本実施例のゴルフボール１４においても、４個のマーク２０ａ、２０ｂ、２０ｃ、２０ｄのうち、３個のマークを上方および側方から視認することができるとともに、３個のマークを目安にして、打球方向に応じたストロークを行うために足の位置を決めて、アドレスをして打球することができる。これにより、打球方向性を高めることができ、スコアの向上を図ることができる。
【００５１】
また、本実施例のゴルフボール１４においては、９０°間隔で４個マークが設けられているため、４個のマーク２０ａ、２０ｂ、２０ｃ、２０ｄのうち、いずれか１個のマークを打球方向に向ければ、打球方向の合せができる。マークが２個および３個の場合には、マークを探して打球方向を合わせる必要があるが、このような必要がない。
【００５２】
次に、本発明の第５の実施例について説明する。
図５（ａ）は、本発明の第５の実施例に係るゴルフボールを示す平面図であり、（ｂ）は、図５（ａ）の側面図であり、（ｃ）は、図５（ａ）の状態から９０°回転させた状態を示す平面図であり、（ｄ）は、図５（ｃ）の側面図であり、（ｅ）は、図５（ｃ）の状態から９０°回転させた状態を示す平面図であり、（ｆ）は、図５（ｅ）の側面図である。
なお、図３（ａ）〜（ｆ）に示す第３の実施例のゴルフボール１４と同一構成物には、同一符号を付してその詳細な説明は省略する。また、図５（ａ）、（ｃ）および（ｅ）においては、地面Ｐの図示は省略している。
【００５３】
本実施例のゴルフボール１８は、第３の実施例のゴルフボール１４（図３（ａ）および（ｂ）参照）に比して、マーク２４ａ、２４ｂ、２４ｃ、２４ｄの形状が菱形である点が異なり、それ以外の構成は、第１の実施例のゴルフボール１０と同様の構成であり、その詳細な説明は省略する。
【００５４】
本実施例のゴルフボール１８においても、４個のマーク２４ａ、２４ｂ、２４ｃ、２４ｄは、大円Ｃ上に形成されており、各マークマーク２４ａ、２４ｂ、２４ｃ、２４ｄの配置間隔は、大円Ｃの中心Ｇに対して等間隔（９０°間隔）である。また、各マーク２４ａ、２４ｂ、２４ｃ、２４ｄは、全て同じ菱形であり、大きさも同じである。
【００５５】
本実施例のマーク２４ａ、２４ｂ、２４ｃ、２４ｄは、菱形であり、２本ある対角線のうち、１本の第１の対角線を大円Ｃ上に合わせて配置されている。この大円Ｃ上に合わされて配置される第１の対角線の長さをＬとする。また、残りの第２の対角線の長さをＷとする。本実施例においては、マーク２４ａ、２４ｂ、２４ｃ、２４ｄにおける最短部の長さは、１０ｍｍ以下であることが好ましい。また、マーク２４ａ、２４ｂ、２４ｃ、２４ｄの最短部の長さの下限は、特に限定されるものではない。これらのマーク２４ａ、２４ｂ、２４ｃ、２４ｄの最短部の長さの下限は、１ｍｍ以上であることが好ましく、更に好ましくは、３ｍｍ以上である。
なお、本発明においては、各マーク２４ａ、２４ｂ、２４ｃ、２４ｄの最短部の長さを１０ｍｍ以下とすることにより、各マーク２４ａ、２４ｂ、２４ｃ、２４ｄを用いた打球方向性の位置決めを容易にできるとともに、外観上も好ましい。このため、各マーク２４ａ、２４ｂ、２４ｃ、２４ｄの最短部の長さは１０ｍｍ以下であることが好ましい。
【００５６】
また、マーク２４ａ〜２４ｄが菱形である場合であっても、各マーク２４ａ〜２４ｄの大きさは、各マーク２４ａ〜２４ｄを完全に内包することができる円（以下、内包円という）の直径が７ｍｍよりも大きいものであることが好ましい。この場合、内包円の直径を７ｍｍよりも大きくすることにより、各マーク２４ａ〜２４ｄの識別性が向上する。
なお、内包円の直径の上限は、特に限定されるものではない。この内包円の直径の上限は、２５ｍｍ以下が好ましく、更に好ましくは、２０ｍｍ以下である。
【００５７】
また、本実施例のゴルフボール１８においても、ゴルフボール１８の大円Ｃ上に、４個、マーク２４ａ、２４ｂ、２４ｃ、２４ｄを９０°間隔で設けることにより、ゴルフボール１８を打球方向の合せに用いる場合、図５（ａ）および（ｂ）に示すように、上方および側方から容易に視認することができる。また、マーク２４ａ、２４ｂ、２４ｃ、２４ｄを４個設けることにより、意匠性も向上させ、外観上美しくすることができる。
【００５８】
なお、本実施例においても、大円Ｃに直交し、マーク２４ｂおよびマーク２４ｃを通る第２の大円Ｓ上に、マーク２４ｂおよびマーク２４ｃに対して等間隔の位置にサイドマーク２２ａ、２２ｂを形成してもよい。
【００５９】
本実施例のゴルフボール１８においても、第３の実施例のゴルフボール１４と同様に、例えば、マーク２４ｂを打球方向に向ける。そして、マーク２４ｂ、マーク２４ａ、およびマーク２４ｃを通る仮想線に対して、フェース面を合わせる。その後、ゴルファが３個のマーク２４ｂ、マーク２４ａ、およびマーク２４ｃを目安にして、打球方向に応じたストロークを行うために足の位置を決めて、アドレスをして打球することができる。これにより、打球方向性を高めることができ、スコアの向上を図ることができる。
【００６０】
また、図５（ａ）に示す状態からゴルフボール１８を９０°回転させて図５（ｃ）に示すように、マーク２４ｂが最上部となる状態にした場合にも、マーク２４ａ、２４ｂ、２４ｄを上方および側方から確認することができる。この場合においても、３個のマーク２４ａ、２４ｂ、２４ｄを目安にして、ゴルファの足の位置を決めて、アドレスをして打球することができる。
【００６１】
さらに、図５（ｃ）に示す状態からゴルフボール１８を９０°回転させて図５（ｅ）に示すように、マーク２４ｄが最上部となる状態にした場合にも、マーク２４ｂ、２４ｃ、２４ｄを上方および側方から確認することができる。この場合においても、３個のマーク２４ｂ、２４ｃ、２４ｄを目安にして、ゴルファの足の位置を決めて、アドレスをして打球することができる。
【００６２】
このように、本実施例のゴルフボール１８においても、４個のマーク２４ａ、２４ｂ、２４ｃ、２４ｄのうち、３個のマークを上方および側方から視認することができるとともに、３個のマークを目安にして、ゴルファの足の位置を決めて、アドレスをして打球することができる。これにより、打球方向性を高めることができ、スコアの向上を図ることができる。
【００６３】
また、本実施例のゴルフボール１８においては、９０°間隔で４個マークが設けられているため、４個のマーク２４ａ、２４ｂ、２４ｃ、２４ｄのうち、いずれか１個のマークを打球方向に向ければ、打球方向の合せができる。マークが２個および３個の場合には、マークを探して打球方向を合わせる必要があるが、このような必要がない。
【００６４】
なお、上述の第１の実施例〜第４の実施例においてマーク２０ａ〜２０ｄを円形状としたが、本発明においては、マーク２０ａ〜２０ｄの形状は、特に限定されるものではない。例えば、三角および四角などの多角形、ならびに楕円などの幾何学的な形状であってもよく、また、企業または商品のロゴおよびキャラクターなどを示すものであってもよい。
また、本発明のゴルフボールにおいては、マークを９０°間隔で３個設けることにより、打球方向性の位置決めが更に容易に行え、打球方向性を更に高めることができる。さらに、本発明のゴルフボールにおいては、マークを９０°間隔で４個設けることにより、打球方向性の位置決めが更に一層容易に行え、打球方向性を更に一層高めることができる。
【００６５】
さらに、本発明においては、例えば、図６（ａ）に示すような複合的なマーク４０としてもよい。このマーク４０は、マーク２０ａと、ゴルフボールの商品名、ゴルフボールのブランド名、またはゴルフボールの製造会社名などを示す文字などの標章４２とからなるものである。このマーク４０を、ゴルフボールの形態に応じて、大円Ｃ上に、少なくとも２個、大円Ｃの中心Ｇに対して９０°間隔で設ける。
【００６６】
また、本発明においては、図６（ｂ）に示す複合的なマーク４４としてもよい。このマーク４４は、識別番号４８が「３」で白抜き文字により標記された円形マーク４６と、ゴルフボールの商品名、ゴルフボールのブランド名、またはゴルフボールの製造会社名などを示す文字などの標章４２とからなるものである。この場合においても、このマーク４４を、ゴルフボールの形態に応じて、大円Ｃ上に、少なくとも２個、大円Ｃの中心Ｇに対して９０°間隔で設ける。
また、マーク４０、４４を少なくとも２個設けることにより、意匠性も向上させ、外観上美しくすることができる。この場合においても、マーク４０、４４を９０°間隔で３個設けることは、打球方向性の位置決めが更に容易になるため好ましい。また、マーク４０、４４を９０°間隔で４個設けることは、打球方向性の位置決めが更に一層容易になるためより好ましい。
【００６７】
なお、図６（ａ）および（ｂ）に示すマーク４０、４４においても、最短部の長さは、１０ｍｍ以下であることが好ましい。また、マーク４０、４４の最短部の長さの下限も、マーク２４ａ、２４ｂ、２４ｃ、２４ｄと同様に、１ｍｍ以上であることが好ましく、更に好ましくは、３ｍｍ以上である。
なお、マーク４０、４４においても、最短部の長さを１０ｍｍ以下とすることにより、マーク４０、４４を用いた打球方向性の位置決めを容易にできるとともに、外観上も好ましい。
【００６８】
また、各マーク４０、４４の大きさは、各マーク４０、４４を完全に内包することができる円（内包円）の直径が７ｍｍよりも大きいことが好ましい。この場合、内包円の直径を７ｍｍよりも大きくすることにより、各マーク４０、４４の識別性が向上する。
なお、内包円の直径の上限は、特に限定されるものではない。この内包円の直径の上限は、２５ｍｍ以下が好ましく、更に好ましくは、２０ｍｍ以下である。
【００６９】
また、上述の第５の実施例においてマーク２４ａ〜２４ｄを菱形状としたが、本発明においては、特に限定されるものではない。例えば、図７（ａ）に示す複合的なマーク５０としてもよい。このマーク５０は、マーク２４ａと、ゴルフボールの商品名、ゴルフボールのブランド名、またはゴルフボールの製造会社名などを示す文字などの標章４２とからなるものである。このマーク５０を、ゴルフボールの形態に応じて、大円Ｃ上に、少なくとも２個、大円Ｃの中心Ｇに対して９０°間隔で設ける。
【００７０】
また、本発明においては、図７（ｂ）に示す複合的なマーク５２としてもよい。このマーク５２は、識別番号５６が「３」で白抜き文字により標記された菱形マーク５４と、ゴルフボールの商品名、ゴルフボールのブランド名、またはゴルフボールの製造会社名などを示す文字などの標章４２とからなるものである。また、この場合においても、このマーク５２を、ゴルフボールの形態に応じて、大円Ｃ上に、少なくとも２個、大円Ｃの中心Ｇに対して９０°間隔で設ける。
また、マーク５０、５２を少なくとも２個設けることにより、意匠性も向上させ、外観上美しくすることができる。この場合においても、マーク５０、５２を９０°間隔で３個設けることは、打球方向性の位置決めが更に容易になるため好ましい。また、マーク５０、５２を９０°間隔で４個設けることは、打球方向性の位置決めが更に一層容易になるためより好ましい。
【００７１】
なお、図７（ａ）および（ｂ）に示すマーク５０、５２においても、最短部の長さは、１０ｍｍ以下であることが好ましい。また、マーク５０、５２の最短部の長さの下限も、マーク２４ａ、２４ｂ、２４ｃ、２４ｄと同様に、１ｍｍ以上であることが好ましく、更に好ましくは、３ｍｍ以上である。
なお、マーク５０、５２においても、最短部の長さを１０ｍｍ以下とすることにより、マーク５０、５２を用いた打球方向性の位置決めを容易にできるとともに、外観上も好ましい。
【００７２】
また、各マーク５０、５２の大きさは、各マーク５０、５２を完全に内包することができる円（内包円）の直径が７ｍｍよりも大きいことが好ましい。この場合、内包円の直径を７ｍｍよりも大きくすることにより、各マーク５０、５２の識別性が向上する。
なお、内包円の直径の上限は、特に限定されるものではない。この内包円の直径の上限は、２５ｍｍ以下が好ましく、更に好ましくは、２０ｍｍ以下である。
【００７３】
また、本発明のゴルフボールにおけるマークの直径、およびマークの最短部の長さなどのマークの各サイズは、ゴルフボールの中心と、マークの中心とを通る直線が法線となる面に、マークを投影させた状態で、ノギスなどを用いて測定されたものである。このように、本発明のゴルフボールにおけるマークの直径、およびマークの最短部の長さなどのマークの各サイズは、ゴルフボールの表面に沿って測定されたものではない。
【００７４】
さらに、本発明のゴルフボールは、コアとカバーとの２ピースボール、またはカバーが２層構造である３ピースボールであり、本発明のゴルフボールの構成は、特に限定されるものではない。
【００７５】
以上、本発明のゴルフボールについて説明したが、本発明は上述の実施例に限定はされず、本発明の要旨を逸脱しない範囲において、各種の改良または変更を行ってもよいのは、もちろんである。
【図面の簡単な説明】
【００７６】
【図１】（ａ）は、本発明の第１の実施例に係るゴルフボールを示す平面図であり、（ｂ）は、図１（ａ）の側面図であり、（ｃ）は、図１（ａ）の状態から９０°回転させた状態を示す平面図であり、（ｄ）は、図１（ｃ）の側面図である。
【図２】（ａ）は、本発明の第２の実施例に係るゴルフボールを示す平面図であり、（ｂ）は、図２（ａ）の側面図であり、（ｃ）は、図２（ａ）の状態から９０°回転させた状態を示す平面図であり、（ｄ）は、図２（ｃ）の側面図である。
【図３】（ａ）は、本発明の第３の実施例に係るゴルフボールを示す平面図であり、（ｂ）は、図３（ａ）の側面図であり、（ｃ）は、図３（ａ）の状態から９０°回転させた状態を示す平面図であり、（ｄ）は、図３（ｃ）の側面図であり、（ｅ）は、図３（ｃ）の状態から９０°回転させた状態を示す平面図であり、（ｆ）は、図３（ｅ）の側面図である。
【図４】（ａ）は、本発明の第４の実施例に係るゴルフボールを示す平面図であり、（ｂ）は、図４（ａ）の側面図であり、（ｃ）は、図４（ａ）の状態から９０°回転させた状態を示す平面図であり、（ｄ）は、図４（ｃ）の側面図であり、（ｅ）は、図４（ｃ）の状態から９０°回転させた状態を示す平面図であり、（ｆ）は、図４（ｅ）の側面図である。
【図５】（ａ）は、本発明の第５の実施例に係るゴルフボールを示す平面図であり、（ｂ）は、図５（ａ）の側面図であり、（ｃ）は、図５（ａ）の状態から９０°回転させた状態を示す平面図であり、（ｄ）は、図５（ｃ）の側面図であり、（ｅ）は、図５（ｃ）の状態から９０°回転させた状態を示す平面図であり、（ｆ）は、図５（ｅ）の側面図である。
【図６】（ａ）は、本発明の第１の実施例〜第４の実施例のゴルフボールに設けられるマークの一例を示す模式図であり、（ｂ）は、本発明の第１の実施例〜第４の実施例のゴルフボールに設けられるマークの他の例を示す模式図である。
【図７】（ａ）は、本発明の第５の実施例のゴルフボールに設けられるマークの一例を示す模式図であり、（ｂ）は、本発明の第５の実施例のゴルフボールに設けられるマークの他の例を示す模式図である。
【図８】ゴルフボールを地面においた状態を示す模式的斜視図である。
【図９】（ａ）は、従来の第１のゴルフボールを示す第１の側面図であり、（ｂ）は、従来の第１のゴルフボールを示す平面図であり、（ｃ）は、従来の第１のゴルフボールを示す第２の側面図であり、（ｄ）は、従来の第１のゴルフボールを示す第３の側面図である。
【図１０】（ａ）は、従来の第２のゴルフボールを示す第１の側面図であり、（ｂ）は、従来の第２のゴルフボールを示す平面図であり、（ｃ）は、従来の第２のゴルフボールを示す第２の側面図である。
【図１１】（ａ）は、従来の第３のゴルフボールを示す第１の側面図であり、（ｂ）は、従来の第３のゴルフボールを示す平面図であり、（ｃ）は、従来の第３のゴルフボールを示す第２の側面図である。
【符号の説明】
【００７７】
１０、１２、１４、１６、１８  ゴルフボール
２０ａ、２０ｂ、２０ｃ、２０ｄ  マーク
２２ａ、２２ｂ  サイドマーク
２４ａ、２４ｂ、２４ｃ、２４ｄ  マーク
４２  標章
４４、５０  マーク
４６  円形マーク
４８、５６  識別番号
５４  菱形マーク
１００  ゴルフボール
１１０  第１のゴルフボール
１１２、１２２、１３２  マーク
１１８  ロゴ
１２０  第２のゴルフボール
１３０  第３のゴルフボール
Ｃ  大円
Ｇ  中心
Ｓ  他の大円
【図１】
2007190177.tif 000003
【図２】
2007190177.tif 000004
【図３】
2007190177.tif 000005
【図４】
2007190177.tif 000006
【図５】
2007190177.tif 000007
【図６】
2007190177.tif 000008
【図７】
2007190177.tif 000009
【図８】
2007190177.tif 000010
【図９】
2007190177.tif 000011
【図１０】
2007190177.tif 000012
【図１１】
2007190177.tif 000013